(57)【要約】【課題】複数の配送拠点における物品搭載部材の保有状況を視覚的に把握しやすくする。【解決手段】複数の配送拠点１０−１〜１０−ｎにそれぞれ設けられた複数の端末１１−１〜１１−ｎと、複数の配送拠点１０−１〜１０−ｎにそれぞれ対応する複数の表示ユニット６０−１〜６０−ｎを具備し、表示ユニット６０−１〜６０−ｎを用いて複数の配送拠点１０−１〜１０−ｎにおけるパレットの保有状況を表示する表示ボード５０とを有し、複数の端末１１−１〜１１−ｎから送信されてきた複数の配送拠点におけるパレットの保有状況を、複数の配送拠点１０−１〜１０−ｎ毎に対応する表示ユニット６０−１〜６０−ｎにそれぞれ表示する。【選択図】図１
2008222319.tif 000002
【特許請求の範囲】
【請求項１】
複数の配送拠点における物品搭載部材の保有状況を管理する部材管理システムであって、
前記複数の配送拠点にそれぞれ設けられた複数の端末と、
前記複数の配送拠点にそれぞれ対応する複数の表示ユニットを具備し、該表示ユニットを用いて前記複数の配送拠点における物品搭載部材の保有状況を表示する表示手段と、
通信回線を介して前記複数の端末と接続され、前記複数の端末から送信されてきた前記複数の配送拠点における物品搭載部材の保有状況をデータベースとして管理し、該データベースとして管理された複数の配送拠点における物品搭載部材の保有状況を、前記複数の配送拠点毎に対応する前記表示ユニットにそれぞれ表示する制御手段とを有する部材管理システム。
【請求項２】
複数の配送拠点における物品搭載部材の保有状況を表示する表示装置であって、
前記複数の配送拠点にそれぞれ対応する複数の表示ユニットを具備し、前記複数の配送拠点から通知された前記物品搭載部材の保有状況を、前記複数の配送拠点毎に対応する前記表示ユニットにそれぞれ表示する表示装置。
【請求項３】
複数拠点における環境情報を一元的に管理する管理システムであって、
前記複数拠点にそれぞれ設けられた複数の端末と、
前記複数拠点にそれぞれ対応する複数の表示ユニットを具備し、該表示ユニットを用いて前記複数拠点における環境情報を表示する表示手段と、
通信回線を介して前記複数の端末と接続され、前記複数の端末から送信されてきた前記複数拠点における環境情報をデータベースとして管理し、該データベースとして管理された複数拠点における環境情報を、前記複数拠点毎に対応する前記表示ユニットにそれぞれ表示する制御手段とを有する管理システム。
【請求項４】
複数拠点における環境情報を表示する表示装置であって、
前記複数拠点にそれぞれ対応する複数の表示ユニットを具備し、前記複数拠点から通知された前記環境情報を、前記複数拠点毎に対応する前記表示ユニットにそれぞれ表示する表示装置。
【発明の詳細な説明】
【技術分野】
【０００１】
本発明は、配送物の配送に用いられる物品搭載部材を管理する部材管理システムに関し、特に、複数の配送拠点にて保有される物品搭載部材の数の一元的な管理技術に関する。
【背景技術】
【０００２】
近年、宅配便等の物流サービスにおいては、様々な輸送機関を利用したり、コンピュータシステムを用いた集中管理を行ったりすることにより、配送物の配送が依頼されてから配送物が配送先に届けられるまでの日数が短縮され、多くの人に利用されるようになっている。また、配送物の配送を依頼する企業等に対しては、配送業者が配送物を収集するサービスが行われ、また、一般庶民に対しては、コンビニエンスストア等で配送物の配送を受け付けるサービスが行われたりすることによっても、物流サービスの利用の幅が広がっている。
【０００３】
このような物流サービスにおいては、パレットと呼ばれる物品搭載部材が用いられ、パレット毎に、配送先の配送拠点が同一となる配送物が載置されて配送物が配送される。そのため、パレットは、全国各地の配送拠点間を配送物の配送に伴って移動することになる。
【０００４】
ところが、配送物の配送は配送拠点間のバランスを考慮して行われているわけではないため、配送物の入庫数が出庫数よりも多い配送拠点においてはパレットが余り、配送物の入庫数が出庫数よりも少ない配送拠点においてはパレットが足りないことになる。
【０００５】
そこで、空きパレットの回送計画を立案する装置が特許文献１に開示されている。この特許文献１に開示された装置によれば、各配送拠点におけるパレットの数に基づいて空きパレットの回送計画が自動的に立案され、提供されることになる。
【特許文献１】特開平９−１３４３９５号公報
【発明の開示】
【発明が解決しようとする課題】
【０００６】
しかしながら、上述した特許文献１に開示された装置は、各配送拠点におけるパレットの数に基づいて空きパレットの回送計画が自動的に立案されるものであるため、複数の配送拠点におけるパレット等の物品搭載部材の保有状況を視覚的に把握しにくいという問題点がある。
【０００７】
本発明は、上述したような従来の技術が有する問題点に鑑みてなされたものであって、複数の配送拠点における物品搭載部材の保有状況を視覚的に把握しやすくすることができる部材管理システムを提供することを目的とする。
【０００８】
また、複数拠点における環境情報を一元的に管理して視覚的に把握しやすくすることができる管理システムを提供することを目的とする。
【課題を解決するための手段】
【０００９】
上記目的を達成するために本発明は、
複数の配送拠点における物品搭載部材の保有状況を管理する部材管理システムであって、
前記複数の配送拠点にそれぞれ設けられた複数の端末と、
前記複数の配送拠点にそれぞれ対応する複数の表示ユニットを具備し、該表示ユニットを用いて前記複数の配送拠点における物品搭載部材の保有状況を表示する表示手段と、
通信回線を介して前記複数の端末と接続され、前記複数の端末から送信されてきた前記複数の配送拠点における物品搭載部材の保有状況をデータベースとして管理し、該データベースとして管理された複数の配送拠点における物品搭載部材の保有状況を、前記複数の配送拠点毎に対応する前記表示ユニットにそれぞれ表示する制御手段とを有する。
【００１０】
上記のように構成された本発明においては、複数の配送拠点に設けられた端末のそれぞれに、複数の配送拠点における物品搭載部材の保有状況が入力されて通信回線を介して制御手段に送信されると、制御手段において、複数の端末から送信されてきた複数の配送拠点における物品搭載部材の保有状況がデータベースとして管理される。そして、制御手段の制御によって、データベースとして管理された複数の配送拠点における物品搭載部材の保有状況が、表示手段に複数の配送拠点にそれぞれ対応して設けられた複数の表示ユニットにおいて複数の配送拠点毎に表示される。
【００１１】
このように、複数の配送拠点における物品搭載部材の保有状況が、複数の配送拠点にそれぞれ対応する複数の表示ユニットにそれぞれ表示されるので、複数の配送拠点における物品搭載部材の保有状況が視覚的に把握しやすくなる。
【００１２】
また、このような複数の配送拠点における物品搭載部材の保有状況を表示する表示装置としては、
前記複数の配送拠点にそれぞれ対応する複数の表示ユニットを具備し、前記複数の配送拠点から通知された前記物品搭載部材の保有状況を、前記複数の配送拠点毎に対応する前記表示ユニットにそれぞれ表示するものが考えられる。
【発明の効果】
【００１３】
以上説明したように本発明においては、複数の配送拠点にそれぞれ設けられた複数の端末と、複数の配送拠点にそれぞれ対応する複数の表示ユニットを具備し、表示ユニットを用いて複数の配送拠点における物品搭載部材の保有状況を表示する表示手段と、通信回線を介して複数の端末と接続され、複数の端末から送信されてきた複数の配送拠点における物品搭載部材の保有状況をデータベースとして管理し、データベースとして管理された複数の配送拠点における物品搭載部材の保有状況を、複数の配送拠点毎に対応する表示ユニットにそれぞれ表示する制御手段とを有し、複数の配送拠点における物品搭載部材の保有状況を、複数の配送拠点にそれぞれ対応する複数の表示ユニットにそれぞれ表示する構成としたため、複数の配送拠点における物品搭載部材の保有状況を視覚的に把握しやすくすることができる。
【００１４】
また、複数拠点にそれぞれ設けられた複数の端末と、複数拠点にそれぞれ対応する複数の表示ユニットを具備し、表示ユニットを用いて複数拠点における環境情報を表示する表示手段と、通信回線を介して複数の端末と接続され、複数の端末から送信されてきた複数拠点における環境情報をデータベースとして管理し、データベースとして管理された複数拠点における環境情報を、複数拠点毎に対応する表示ユニットにそれぞれ表示する制御手段とを有し、複数拠点における環境情報を、複数拠点にそれぞれ対応する複数の表示ユニットにそれぞれ表示する構成としたものにおいては、複数拠点における環境情報を一元的に管理して視覚的に把握しやすくすることができる。
【発明を実施するための最良の形態】
【００１５】
以下に、本発明の実施の形態について図面を参照して説明する。
【００１６】
（第１の実施の形態）
図１は、本発明の部材管理システムの第１の実施の形態を示す図である。
【００１７】
本形態は図１に示すように、配送物の配送拠点１０−１〜１０−ｎにそれぞれ設けられた端末１１−１〜１１−ｎと、配送物の配送を管理する管理センター等に設けられ、通信回線２０を介して端末１１−１〜１１−ｎに接続可能に構成された制御手段である管理用パソコン３０及び無線送信装置８０と、配送拠点１０−１〜１０−ｎにおける物品搭載部材であるパレットの保有状況を表示する表示手段である表示ボード５０とから構成されている。
【００１８】
端末１１−１〜１１−ｎは、通信回線２０に接続する機能を有する一般的なパーソナルコンピュータ等からなり、配送拠点１０−１〜１０−ｎにおけるパレットの入庫数、出庫数及び保有数からなる保有状況が入力される。
【００１９】
管理用パソコン３０は、通信回線２０とのインタフェースを司るＩ／Ｆ部３１と、端末１１−１〜１１−ｎから送信されてきた情報や保有状況データベース４０に登録された情報を表示する表示部３３と、端末１１−１〜１１−ｎから送信されてきたパレットの保有状況を保有状況データベース４０に登録し、また、保有状況データベース４０に登録されたパレットの保有状況を取り出すデータベース管理部３４と、無線送信装置８０とのインタフェースを司るＩ／Ｆ部３２と、これらを制御する制御部３５とから構成されている。
【００２０】
無線送信装置８０は、管理用パソコン３０から与えられたパレットの保有状況を、ＩｒＤＡ等の規格に準じた赤外線通信にて表示ボード５０に取り付けられた複数の表示ユニット６０−１〜６０−ｎに送信する。
【００２１】
表示ボード５０には、配送拠点１０−１〜１０−ｎのそれぞれに対応した表示ユニット６０−１〜６０−ｎと、１つの表示ユニット７０とが取り付けられている。このうち、表示ユニット７０には、現在の時刻が表示される現在時刻表示部７１と、表示ユニット６０−１〜６０−ｎに表示されるパレットの保有状況が更新された時刻が表示される更新時刻表示部７２とが設けられている。
【００２２】
図２は、図１に示した表示ユニット６０−１〜６０−ｎの構成を示す図であり、（ａ）は外観図、（ｂ）は内部構成を示す図である。
【００２３】
図１に示した表示ユニット６０−１〜６０−ｎは図２（ａ）に示すように、表示板６６の裏面に板状のマグネット６７が貼着されて構成されている。図１に示した表示ボード５０がスチール板に日本地図が印刷されたものであるため、日本地図のうち配送拠点１０−１〜１０−ｎに対応する位置に表示ユニット６０−１〜６０−ｎをマグネット６７によって表示ボード５０に取り外し自在に取り付けることができる。また、表示板６６には、対応する配送拠点におけるパレットの入庫数を表示する入庫数表示部６１ａと、パレットの出庫数を表示する出庫数表示部６１ｂと、パレットの保有数を表示する保有数表示部６１ｃとが設けられている。
【００２４】
表示板６５の内部には図２（ｂ）に示すように、上述した入庫数表示部６１ａ、出庫数表示部６１ｂ及び保有数表示部６１ｃを有し、７セグメントＬＥＤを用いてこれらの数を表示する表示部６１と、表示ユニット６０−１〜６０−ｎ毎のタグＩＤが格納されたメモリ６３と、バッテリーや太陽電池を用いた電源部６２と、ＩｒＤＡ等の規格に準じた赤外線通信にて無線送信装置８０から送信されてきたパレットの保有状況を受信するＩ／Ｆ部６４と、これらを制御する制御部６５とからなる回路が内蔵されている。
【００２５】
以下に、上記のように構成された部材管理システムにおけるパレットの管理方法について説明する。
【００２６】
図３は、図１及び図２に示した部材管理システムにおけるパレットの管理方法を説明するためのフローチャートである。
【００２７】
配送物の配送拠点１０−１〜１０−ｎのそれぞれにおいては、配送物を配送するためのパレットのその日の入庫数、出庫数及び保有数からなる保有状況が任意のタイミングで端末１１−１〜１１−ｎに入力され、管理センターへの報告として管理用パソコン３０に通信回線２０を介して送信される（ステップＳ１）。この端末１１−１〜１１−ｎから管理用パソコン３０へのパレットの保有状況の送信のタイミングは、配送拠点１０−１〜１０−ｎのそれぞれにおいて任意に決めることができ、例えば、その日の業務が開始されてから１時間毎、あるいはパレットの保有数が所定の数となった場合とすることができる。また、管理センターにて一律に決めておき、そのタイミングで配送拠点１０−１〜１０−ｎのそれぞれにおけるパレットの入庫数、出庫数及び保有数からなる保有状況が管理用パソコン３０に送信されるようにしてもよい。
【００２８】
端末１１−１〜１１−ｎから送信されてきたパレットの保有状況は、管理用パソコン３０のＩ／Ｆ部３１を介して受信され、データベース管理部３４において、端末１１−１〜１１−ｎから送信されてきたパレットの保有状況が配送拠点１０−１〜１０−ｎ毎に保有状況データベース４０に登録される（ステップＳ２）。ここで、端末１１−１〜１１−ｎから送信されてきたパレットの保有状況には、端末１１−１〜１１−ｎを識別可能な情報が付与されている。データベース管理部３４においては、この付与された情報を用いて配送拠点１０−１〜１０−ｎを識別し、配送拠点１０−１〜１０−ｎ毎にパレットの保有状況を保有状況データベース４０に登録することになる。
【００２９】
図４は、図１に示した保有状況データベース４０に登録されたパレットの保有状況を示す図である。
【００３０】
図４に示すように、図１に示した保有状況データベース４０には、端末１１−１〜１１−ｎから送信されてきたパレットの保有状況となるパレットの入庫数、パレットの出庫数及びパレットの保有数がその端末１１−１〜１１−ｎが設けられた配送拠点１０−１〜１０−ｎ毎に登録される。
【００３１】
その後、表示ボード５０におけるパレットの保有状況の表示を更新するタイミングとなると（ステップＳ３）、管理用パソコン３０のデータベース管理部３４において、保有状況データベース４０に登録されたパレットの保有状況が取り出され、無線送信装置３０に与えられる（ステップＳ４）。ここで、データベース管理部３４においては、表示ボード５０に取り付けられた表示ユニット６０−１〜６０−ｎがそれぞれ配送拠点１０−１〜１０−ｎのどれに対応するものかが表示ユニット６０−１〜６０−ｎのタグＩＤを用いて管理されている。そのため、データベース管理部３４にて取り出されたパレットの保有状況には、その配送拠点１０−１〜１０−ｎに対応する表示ユニット６０−１〜６０−ｎのタグＩＤが付与されて無線送信装置８０に与えられる。
【００３２】
無線送信装置８０においては、管理用パソコン３０から与えられたパレットの保有状況が、表示ユニット６０−１〜６０−ｎのタグＩＤが付与された状態で、表示ボード５０に取り付けられた複数の表示ユニット６０−１〜６０−ｎに赤外線通信にて送信される（ステップＳ５）。
【００３３】
表示ユニット６０−１〜６０−ｎにおいては、無線送信装置８０から送信されたパレットの保有状況のうち、メモリ６３内に格納された自己のタグＩＤが付与されたパレットの保有状況がＩ／Ｆ部６４を介して受信される（ステップＳ６）。
【００３４】
その後、表示ユニット６０−１〜６０−ｎ内の制御部６５における制御によって、Ｉ／Ｆ部６４を介して受信されたパレットの保有状況が表示部６１にて表示される（ステップＳ７）。
【００３５】
図５は、図１及び図２に示した表示ユニット６０−１〜６０−ｎにパレットの保有状況が表示された状態を示す図である。
【００３６】
図５に示すように、表示ボード５０に取り付けられた表示ユニット６０−１〜６０−ｎには、無線送信装置８０から送信されたパレットの保有状況のうち、メモリ６３内に格納された自己のタグＩＤが付与されたパレットの保有状況、すなわち、対応する配送拠点１０−１〜１０−ｎにおけるパレットの保有状況となる、パレットの入庫数、パレットの出庫数及びパレットの保有数が、入庫数表示部６１ａ、出庫数表示部６１ｂ及び保有数表示部６１ｃにそれぞれ表示される。この表示は、表示ボード５０に取り付けられた表示ユニット６０−１〜６０−ｎのそれぞれにて行われ、これにより、表示ボード５０には、配送拠点１０−１〜１０−ｎのそれぞれにおけるパレットの保有状況となる、パレットの入庫数、パレットの出庫数及びパレットの保有数が一覧として表示されることになる。
【００３７】
また、表示ボード５０に取り付けられた表示ユニット７０においては、内蔵された時計部（不図示）による現在時刻情報が現在時刻表示部７１に表示されており、また、無線送信装置８０から上述したパレットの保有状況が送信された際に、その旨を示す情報を無線送信装置８０から受信し、それにより、表示ユニット６０−１〜６０−ｎに表示されるパレットの保有状況が更新されたことが認識され、その更新時刻情報が更新時刻表示部７２に表示される。
【００３８】
なお、本形態においては、パレットの保有状況が、ＩｒＤＡ等の規格に準じた赤外線通信にて無線送信装置８０から表示ユニット６０−１〜６０−ｎに送信されているが、パレットの保有状況を無線送信するための手段としては、赤外線通信に限らず、他の無線通信手段であってもよい。
【００３９】
また、本形態においては、表示ユニット６０−１〜６０−ｎがマグネット６７によって表示ボード５０に取り外し自在に取り付けられているが、表示ユニット６０−１〜６０−ｎの裏面に粘着剤を塗布したり、表示ボード５０にポケットを設けてこのポケットに表示ユニット６０−１〜６０−ｎを収納したりすることによって、表示ユニット６０−１〜６０−ｎを表示ボード５０に取り外し自在に取り付ける構成としてもよい。
【００４０】
（第２の実施の形態）
図６は、本発明の部材管理システムの第２の実施の形態を示す図である。
【００４１】
本形態は図６に示すように、第１の実施の形態に示したものに対して、第１の実施の形態にて示した無線送信装置８０を有さずに、管理用パソコン１３０と表示ボード１５０とが有線で接続されている点が異なるものである。
【００４２】
本形態における管理用パソコン１３０は図６に示すように、通信回線２０とのインタフェースを司るＩ／Ｆ部１３１と、端末１１−１〜１１−ｎから送信されてきた情報や保有状況データベース４０に登録された情報を表示する表示部１３３と、端末１１−１〜１１−ｎから送信されてきたパレットの保有状況を保有状況データベース４０に登録し、また、保有状況データベース４０に登録されたパレットの保有状況を取り出すデータベース管理部１３４と、表示ボード１５０とのインタフェースを司るＩ／Ｆ部１３２と、これらを制御する制御部１３５とから構成されている。
【００４３】
表示ボード１５０は、有線にて管理用パソコン１３０に接続され、配送拠点１０−１〜１０−ｎのそれぞれに対応した表示ユニット１６０−１〜１６０−ｎと、１つの表示ユニット１７０とが設けられている。このうち、表示ユニット１７０には、現在の時刻が表示される現在時刻表示部１７１と、表示ユニット１６０−１〜１６０−ｎに表示されるパレットの保有状況の更新時刻が表示される更新時刻表示部１７２とが設けられている。また、電源は、管理用パソコン１３０から供給される。
【００４４】
図７は、図６に示した表示ボード１５０の構成を示す図であり、（ａ）は表示ボード１５０の内部構成を示す図、（ｂ）は表示ユニット１６０−１〜１６０−ｎの外観図である。
【００４５】
図６に示した表示ボード１５０は図７（ａ）に示すように、管理用パソコン１３０とのインタフェースを司るインタフェース部１５１と、配送拠点１０−１〜１０−ｎのそれぞれに対応した表示ユニット１６０−１〜１６０−ｎと、１つの表示ユニット１７０と、管理用パソコン１３０から与えられたパレットの保有状況を、配送拠点１０−１〜１０−ｎに対応する表示ユニット１６０−１〜１６０−ｎに振り分けて表示する表示制御部１５２とから構成されている。
【００４６】
また、図６に示した表示ユニット１６０−１〜１６０−ｎは図７（ｂ）に示すように、表示板１６６に、対応する配送拠点におけるパレットの入庫数を表示する入庫数表示部１６１ａと、パレットの出庫数を表示する出庫数表示部１６１ｂと、パレットの保有数を表示する保有数表示部１６１ｃとが設けられている。
【００４７】
以下に、上記のように構成された部材管理システムにおけるパレットの管理方法について説明する。
【００４８】
図８は、図６及び図７に示した部材管理システムにおけるパレットの管理方法を説明するためのフローチャートである。
【００４９】
配送物の配送拠点１０−１〜１０−ｎのそれぞれにおいては、配送物を配送するためのパレットのその日の入庫数、出庫数及び保有数からなる保有状況が任意のタイミングで端末１１−１〜１１−ｎに入力され、管理センターへの報告として管理用パソコン１３０に通信回線２０を介して送信される（ステップＳ１０１）。この端末１１−１〜１１−ｎから管理用パソコン１３０へのパレットの保有状況の送信のタイミングは、第１の実施の形態と同様に、配送拠点１０−１〜１０−ｎのそれぞれにおいて任意に決めることができ、例えば、その日の業務が開始されてから１時間毎、あるいはパレットの保有数が所定の数となった場合とすることができる。また、管理センターにて一律に決めておき、そのタイミングで配送拠点１０−１〜１０−ｎのそれぞれにおけるパレットの入庫数、出庫数及び保有数からなる保有状況が管理用パソコン１３０に送信されるようにしてもよい。
【００５０】
端末１１−１〜１１−ｎから送信されてきたパレットの保有状況は、管理用パソコン１３０のＩ／Ｆ部１３１を介して受信され、データベース管理部１３４において、端末１１−１〜１１−ｎから送信されてきたパレットの保有状況が配送拠点１０−１〜１０−ｎ毎に保有状況データベース４０に登録される（ステップＳ１０２）。ここで、端末１１−１〜１１−ｎから送信されてきたパレットの保有状況には、端末１１−１〜１１−ｎを識別可能な情報が付与されている。データベース管理部１３４においては、この付与された情報を用いて配送拠点１０−１〜１０−ｎを識別し、配送拠点１０−１〜１０−ｎ毎にパレットの保有状況を保有状況データベース４０に登録することになる。
【００５１】
その後、表示ボード５０におけるパレットの保有状況の表示を更新するタイミングとなると（ステップＳ１０３）、管理用パソコン１３０のデータベース管理部１３４において、保有状況データベース４０に登録されたパレットの保有状況が取り出される（ステップＳ１０４）。ここで、データベース管理部１３４においては、表示ボード１５０の表示ユニット１６０−１〜１６０−ｎがそれぞれ配送拠点１０−１〜１０−ｎのどれに対応するものかが表示ユニット１６０−１〜１６０−ｎのユニットＩＤを用いて管理されている。そのため、データベース管理部１３４にて取り出されたパレットの保有状況には、その配送拠点１０−１〜１０−ｎに対応する表示ユニット１６０−１〜１６０−ｎのユニットＩＤが付与されている。
【００５２】
保有状況データベース４０から取り出されたパレットの保有状況は、表示ユニット１６０−１〜１６０−ｎのユニットＩＤが付与された状態で表示ボード１５０に送信される（ステップＳ１０５）。
【００５３】
表示ボード１５０においては、管理用パソコン１３０から送信されたパレットの保有状況がＩ／Ｆ部１５１を介して受信されると（ステップＳ１０６）、表示制御部１５２において、Ｉ／Ｆ部１５１を介して受信されたパレットの保有状況が、パレットの保有状況に付与されたユニットＩＤに基づいて、配送拠点１０−１〜１０−ｎに対応する表示ユニット１６０−１〜１６０−ｎに振り分けられ、表示ユニット１６０−１〜１６０−ｎにそれぞれ表示される（ステップＳ１０７）。この表示は、表示ボード１５０の表示ユニット１６０−１〜１６０−ｎのそれぞれにて行われ、これにより、表示ボード１５０には、配送拠点１０−１〜１０−ｎのそれぞれにおけるパレットの保有状況となる、パレットの入庫数、パレットの出庫数及びパレットの保有数が一覧として表示されることになる。
【００５４】
また、表示ボード１５０の表示ユニット１７０においては、内蔵された時計部（不図示）による現在時刻情報が現在時刻表示部１７１に表示されており、また、管理用パソコン１３０から上述したパレットの保有状況が送信された際に、その旨を示す情報を管理用パソコン１３０から受信し、それにより、表示ユニット１６０−１〜１６０−ｎに表示されるパレットの保有状況が更新されたことが認識され、その更新時刻情報が更新時刻表示部１７２に表示される。
【００５５】
なお、上述した２つの実施の形態において、端末１１−１〜１１−ｎから送信されてきた配送拠点１０−１〜１０−ｎにおけるパレットの入庫数、パレットの出庫数及びパレットの保有数をそれぞれ管理用パソコン３０，１３０にて合計し、これらを表示ボード５０，１５０に表示する構成とすることも考えられる。
【００５６】
また、上述した２つの実施の形態においては、配送物が搭載される物品搭載部材としてパレットを例に挙げて説明したが、物品搭載部材としては、箱状あるいは籠状のもの等、様々な形態のものを適用することができる。
【００５７】
また、本発明を、物流資材の状況、レンタカーやタクシー、ハイヤーの在庫、製造ラインの状況、駐車場の空き状況、病院の待ち時間状況、道路の渋滞、工事状況、観光地や競技場の来園人数等、複数拠点における環境情報を一元的に管理するものにも適用することができる。
【図面の簡単な説明】
【００５８】
【図１】本発明の部材管理システムの第１の実施の形態を示す図である。
【図２】図１に示した表示ユニットの構成を示す図であり、（ａ）は外観図、（ｂ）は内部構成を示す図である。
【図３】図１及び図２に示した部材管理システムにおけるパレットの管理方法を説明するためのフローチャートである。
【図４】図１に示した保有状況データベースに登録されたパレットの保有状況を示す図である。
【図５】図１及び図２に示した表示ユニットにパレットの保有状況が表示された状態を示す図である。
【図６】本発明の部材管理システムの第２の実施の形態を示す図である。
【図７】図６に示した表示ボードの構成を示す図であり、（ａ）は表示ボードの内部構成を示す図、（ｂ）は表示ユニットの外観図である。
【図８】図６及び図７に示した部材管理システムにおけるパレットの管理方法を説明するためのフローチャートである。
【符号の説明】
【００５９】
１０−１〜１０−ｎ    配送拠点
１１−１〜１１−ｎ    端末
２０    通信回線
３０，１３０    管理用パソコン
３１，３２，６４，１３１，１３２    Ｉ／Ｆ部
３３，１３３    表示部
３４，１３４    データベース管理部
３５，６５，１３５    制御部
４０    保有状況データベース
５０，１５０    表示ボード
６０−１〜６０−ｎ，７０，１６０−１〜１６０−ｎ，１７０    表示ユニット
６１    表示部
６１ａ，１６１ａ    入庫数表示部
６１ｂ，１６１ｂ    出庫数表示部
６１ｃ，１６１ｃ    保有数表示部
６２    電源部
６３    メモリ
６６，１６６    表示板
６７    マグネット
７１，１７１    現在時刻表示部
７２，１７２    更新時刻表示部
【図１】
2008222319.tif 000003
【図２】
2008222319.tif 000004
【図３】
2008222319.tif 000005
【図４】
2008222319.tif 000006
【図５】
2008222319.tif 000007
【図６】
2008222319.tif 000008
【図７】
2008222319.tif 000009
【図８】
2008222319.tif 000010